(57)【要約】      （修正有）【課題】自動開閉式スライドレールキットを提供する。【解決手段】第一レール１０、第二レール１４、第三レール１８、シフトユニット５０、掛止支持ユニット５６、嵌合連結部品を含み、第一レール１０に取り付けるシフトユニット５０は可動体、第一弾性部品、第二弾性部品を含み、第二レール１４は第一レール１０と第三レール１８との間に設置し、掛止部品と押圧連結部品は第三レール１８に取り付ける。スライドレールキットを閉じる時、掛止部品と可動体は嵌着し、第一弾性部品は第二レールに作用をもたらす。第三レールに力を加える時、掛止部品は可動体から離脱し、第二レールは第一弾性部品の弾力によって解き放たれ、第一レールに相対して開かれる。第一レールに相対する第三レールを押し入れて閉じる場合、掛止部品は可動体と押圧し合い、第一レールに相対する第三レールは自動的に閉じる。【選択図】図２
0003179942.tif 000002
【実用新案登録請求の範囲】
【請求項１】
第一レール、第二レール、第三レール、シフトユニット、連動ユニット、同時ユニット、掛止支持ユニットを含む自動開閉式スライドレールキットであって、
前記第一レールは、側壁、放出部、ガイド溝、第一通路を含み、その内、放出部は、側壁に設置され、且つ第一通路内に位置し、ガイド溝は側壁に設置し、且つ縦方向溝及び横方向溝を含み、縦方向溝に繋がり、
前記第二レールは、第一レールにスライド可能状態で連結し、第二レールは、側壁、突出体、及び第二通路を含み、その内、突出体は、側壁に設置し、第一レールの第一通路向きであり、
前記第三レールは、第二レールにスライド可能状態で連結し、第三レールに含まれるプッシュブロックは、第二レールの第二通路向きであり、
前記シフトユニットは、ベース体、第一弾性部品、プッシュ部品、可動体、及び第二弾性部品を含み、その内、第一レールの側壁に取り付けるベース体は、縦方向区、収納室、及びガイド通路を含み、その内、収納室はほぼ縦方向区に対して平行であり、ガイド通路には縦方向ガイド溝と、縦方向ガイド溝に連結する横方向ガイド溝を含み、第一弾性部品の一端はベース体を押圧し、プッシュ部品は、第一弾性部品の別の一端を押圧し、且つ第二レールに対応し、ベース体に可動状態で取り付ける可動体は、第一脚、第二脚、ガイド経路、及び嵌合制御部を含み、その内、第一脚及び第二脚はそれぞれ、ベース体のガイド通路及び収納室に対応し、ガイド経路は、第一縦方向ガイド経路、第二縦方向ガイド経路、及び中間通路を含み、その内、第一縦方向ガイド経路と第二縦方向ガイド経路は、嵌合制御部に隣接し、しかもそれぞれが嵌合制御部の両側に位置し、中間通路は、第一縦方向ガイド経路と第二縦方向ガイド経路に繋がり、且つ嵌合制御部に相対し、第二弾性部品はベース体の収納室内に取り付け、可動体の第二脚と押圧し合い、
前記連動ユニットは、連動部品、連接部、及び第一スプリングを含み、その内、連動部品は、第一凸部及び第二凸部を含み、第一凸部は、第一レールのガイド溝から延伸し、第二凸部は、第二レールの突出体に対応し、また、連接部は、可動体と連動部品との間に連結し、第一スプリングは、連動部品と連接部との間に連結し、
前記同時ユニットは、同時部品及び第二スプリングを含み、その内、第二レールに枢着する同時部品は、第一押圧部及び第二押圧部を含み、その内、第一押圧部は、第一レールの側壁方向に延伸し、放出部に対応し、第二押圧部は、第三レールのプッシュブロックに対応し、第二スプリングは、同時部品と第二レールとの間に連結し、
前記掛止支持ユニットは、掛止部品及び押圧連結部品を含み、その内、第三レールに枢着する掛止部品は、掛止部を含み、押圧連結部品は、第三レールに固着し、可動体に対応し、
その内、第一レールに相対する第三レールが閉じた位置にある時、第二レールは、第一レール内に収納され、掛止部品の掛止部と可動体の嵌合制御部とは嵌着し合い、尚且つプッシュ部品は、第二レールによって押圧され、第一弾性部品を圧縮するため、第一弾性部品はプッシュ部品の押圧に反して第一方向の弾力作用を生じさせ、また、可動体の第二脚は第二弾性部品と押圧し合い、並びに、第三レールのプッシュブロックは、同時部品の第二押圧部に対応し、
その内、第三レールにプッシュ力が加えられた時、掛止部品の掛止部は可動体の嵌合制御部から離脱し、しかも掛止部品の掛止部は可動体の第一縦方向ガイド経路にシフトし、このプッシュ力がなくなった後、第一弾性部品の第一方向の弾力によって解き放たれ、プッシュ部品によって第二レールは押し出され、第一レールに相対してシフトし、並びに、さらに続けて第三レールを引き出した時、第三レールのプッシュブロックが同時部品の第二押圧部を押圧することにより、第二レールは第三レールに従い引き出され、第二レールの突出体が連動部品の第二凸部を押圧し、連動部品は、第一凸部によって第一レールのガイド溝の縦方向溝に沿ってシフトし、並びに、可動体は、連動部品のシフトと連動部品による従動に従って、ベース体のガイド通路の縦方向ガイド溝に沿って、連動される連動部品の第一凸部がガイド溝の横方向溝内に導かれるまでシフトし、その時、第二レールの突出体は回転して連動部品の第二凸部の上部エッジを圧し、可動体もまた、導かれてシフトした後、その第一脚がガイド通路の横方向ガイド溝位置に停止することにより、第二弾性部品は可動体の第二脚によって圧縮され、第二方向に弾き出す位置エネルギーを蓄え、並びに、同時部品の第一押圧部が第一レールの放出部を押圧した時、同時部品は一定角度に傾いてシフトするため、同時部品の第二押圧部は第三レールのプッシュブロックを離脱し、
その内、第一レールに相対する第三レールを押し入れて閉じる時、同時部品の第一押圧部は第一レールの放出部から離脱し、同時部品の第二押圧部がプッシュブロックに対応する状態に回復し、押圧連結部品が可動体を上方に押圧する時、可動体は、ガイド通路の横方向ガイド溝から離脱し、尚且つ掛止部品の掛止部は、可動体の嵌合制御部と押圧し合い、第二弾性部品の弾力を通して、第一レールに相対する第三レールは引っ張られて閉じ、連動部品の第一凸部は、ガイド溝の横方向溝から離脱することを特徴とする自動開閉式スライドレールキット。
【請求項２】
前記自動開閉式スライドレールキットは、収納室に対応する螺着体と調整部品をさらに含み、その内、調整部品は螺着棒、及び螺着棒の一端から延伸する頭部を含み、該調整部品の螺着棒は、螺着体を貫通させて螺着し、収納室に挿入される螺着棒は、可動体の第二脚を押圧することを特徴とする請求項１に記載の自動開閉式スライドレールキット。
【請求項３】
前記連接部は、連結し合う第一連接部品と第二連接部品を含み、第一連接部品は、固定部品を用いて可動体に固着し、第二連接部品と連動部品を枢着することを特徴とする請求項１に記載の自動開閉式スライドレールキット。
【請求項４】
前記連動部品には第一鉤部を設置し、連接部の第二連接部品には第二鉤部を設置し、第一鉤部と第二鉤部によって第一スプリングの両端を引き掛けることを特徴とする請求項３に記載の自動開閉式スライドレールキット。
【請求項５】
前記自動開閉式スライドレールキットは、第一レールの側壁に固着する支持体をさらに含み、該支持体に形成した支持通路内に連接部の第二連接部品を可動状態で貫設し、支持体にはさらに少なくとも一つのストッパーを設け、第二連接部品を制限して支持体の支持通路内に保持させるのに用いることを特徴とする請求項３に記載の自動開閉式スライドレールキット。
【請求項６】
前記第二レールの側壁には、窓部を設け、窓部に隣接する同時部品は、軸部品を用いて第二レールに枢着し、尚且つ同時部品の第一押圧部は、窓部から突出し、第一レールの側壁方向に延伸することを特徴とする請求項１に記載の自動開閉式スライドレールキット。
【請求項７】
前記同時部品の第一押圧部に備えるガイド斜面は、第一レールの放出部に対応し、且つ同時部品には第三鉤部を設置し、第二レールには第四鉤部を設置し、第三鉤部と第四鉤部のそれぞれで第二スプリングの両端を引き掛けることを特徴とする請求項６に記載の自動開閉式スライドレールキット。
【請求項８】
前記第三レールには、穴を設け、掛止支持ユニットは、穴に対応する蓋体を含み、第三レールに固着し、且つ該蓋体には、枢着部品を用いて掛止部品を枢着し、並びに、蓋体に備えた弧形溝は、掛止部品の掛止部に対応させ、掛止部品の掛止部を貫通して動きをそれ以内に制限することを特徴とする請求項１に記載の自動開閉式スライドレールキット。
【請求項９】
前記自動開閉式スライドレールキットは、第一レール上に設置する緩衝部品をさらに含み、該緩衝部品は自動的に伸びるピストン棒を含み、ピストン棒の伸びる長さが第二レールに対応して緩衝ストロークを形成することを特徴とする請求項１に記載の自動開閉式スライドレールキット。
【請求項１０】
第一レール、第二レール、第三レール、シフトユニット、連動ユニット、同時ユニット、掛止支持ユニットを含む自動開閉式スライドレールキットであって、
前記第一レールは、上壁、下壁、側壁、放出部、及びガイド溝を含み、その内、側壁は、上壁と下壁間に延伸して連結し、上壁、下壁、及び側壁は共同で第一通路を形成し、放出部は、側壁に設置し、且つ第一通路内に位置し、ガイド溝は側壁に設置し、縦方向溝及び横方向溝を含み、その内、横方向溝は、縦方向溝の末端に位置し、縦方向溝に連結し、
前記第二レールは、第一レールにスライド可能状態で連結し、第二レールは、上壁、下壁、側壁、及び突出体を含み、その内、側壁は、上壁と下壁間に延伸して連結し、上壁、下壁、及び側壁とが共同で第二通路を形成し、突出体は、側壁に設置し、第一レールの第一通路向きであり、
前記第三レールは、第二レールに可動状態で連結し、第三レールに含まれるプッシュブロックは、第二レールの第二通路向きであり、
前記シフトユニットは、ベース体、固定体、第一弾性部品、プッシュ部品、可動体、及び第二弾性部品を含み、その内、第一レールの側壁に取り付けるベース体は、縦方向区、収納室、及びガイド通路を含み、その内、収納室はほぼ縦方向区に対して平行であり、ガイド通路には縦方向ガイド溝と横方向ガイド溝を含み、その内、横方向ガイド溝は、縦方向ガイド溝の末端に位置し、且つ縦方向ガイド溝に連結し、ベース体に取り付ける固定体は、縦方向棒を含み、第一弾性部品は、固定体の縦方向棒に嵌設し、プッシュ部品は、ベース体の縦方向区に連結し、固定体の縦方向棒に可動状態で嵌設し、第一弾性部品と押圧し合い、ベース体に可動状態で取り付ける可動体は、第一脚、第二脚、ガイド経路、及び嵌合制御部を含み、その内、第一脚及び第二脚はそれぞれ、ベース体のガイド通路及び収納室に対応し、ガイド経路は、第一縦方向ガイド経路、第二縦方向ガイド経路、及び中間通路を含み、その内、第一縦方向ガイド経路と第二縦方向ガイド経路は、嵌合制御部に隣接し、しかもそれぞれが嵌合制御部の両側に位置し、中間通路は、第一縦方向ガイド経路と第二縦方向ガイド経路に繋がり、尚且つ嵌合制御部に相対し、第二弾性部品は、ベース体の収納室内に取り付け、可動体の第二脚と押圧し合い、
前記連動ユニットは、連動部品、連接部、及び第一スプリングを含み、その内、連動部品は、第一凸部及び第二凸部を含み、第一凸部は、第一レールのガイド溝から延伸し、第二凸部は、第二レールの突出体に縦方向に対応し、また連接部は、可動体と連動部品間に連結し、第一スプリングは、連動部品と連接部の間に連結し、
前記同時ユニットは、同時部品及び第二スプリングを含み、その内、第二レールに枢着する同時部品は、第一押圧部及び第二押圧部を含み、その内、第一押圧部は、第一レールの側壁方向に延伸し、放出部に対応し、第二押圧部は、第三レールのプッシュブロックに対応し、第二スプリングは、同時部品と第二レールの間に連結し、
前記掛止支持ユニットは、掛止部品及び押圧連結部品を含み、その内、掛止部品は、第三レールに枢着し、掛止部品には掛止部を含み、また、押圧連結部品は、第三レールに固着し、可動体に対応させることを特徴とするスライドレールキット。
【考案の詳細な説明】
【技術分野】
【０００１】
本考案は自動開閉式スライドレールキットに係り、特に、プッシュすると自動的に開き、押し入れると自動的に閉じるスライドレールに関する。
【背景技術】
【０００２】
一般に引出しに応用する装置は単一機能で、引出しを自動的に開くのを補助する装置である。例えば、Ｗａｎｇ氏による特許文献１「Ｐｕｓｈ-ｏｐｅｎ  ｔｙｐｅ  ｓｌｉｄｅ ｓｔｒｕｃｔｕｒｅ」には開く作用を備えたスライド構造が開示されている。また、Ｇａｓｓｅｒ氏による特許文献２「Ｒｅｔｒａｃｔｉｏｎ  ｄｅｖｉｃｅ  ｆｏｒ  ｄｒａｗｅｒｓ」には引出しを自動的に閉じるのを助ける装置が開示された。
【０００３】
近年、Ｌｉａｎｇ氏らによる特許文献３「Ｓｅｌｆ-ｍｏｖｉｎｇ  ｄｅｖｉｃｅ  ｆｏｒ  ｍｏｖａｂｌｅ  ｆｕｒｎｉｔｕｒｅ  ｐａｒｔｓ」には自己開閉機能を備えるスライドレールが開示され、ここでは、本考案を本文の参照とする。
【先行技術文献】
【特許文献】
【０００４】
【特許文献１】米国特許第 7,374,261号明細書
【特許文献２】米国特許第 7,249,813号明細書
【特許文献３】米国特許第 8,172,345号明細書
【考案の概要】
【考案が解決しようとする課題】
【０００５】
本考案の目的は、自己開閉機構を組み合わせることにより、スライドレール部品が予定された外力を受けた時に、適時に自動開閉し、定位する自動開閉式スライドレールキットを提供することにある。
【課題を解決するための手段】
【０００６】
本考案の観点に基づく自動開閉式スライドレールキットは、第一レール、第二レール、第三レール、シフトユニット、連動ユニット、同時ユニット、掛止支持ユニットを含む。
【０００７】
前記第一レールには、側壁、放出部、ガイド溝、第一通路を含む。その内、放出部は、側壁に設置し、尚且つ第一通路内に位置する。ガイド溝は側壁に設置し、縦方向溝及び横方向溝を含み、縦方向溝に繋がる。
【０００８】
前記第二レールは、第一レールにスライド可能状態で連結し、第二レールは、側壁、突出体、及び第二通路を含む。その内、突出体は、側壁に設置し、第一レールの第一通路向きである。
【０００９】
前記第三レールは、第二レールにスライド可能状態で連結し、第三レールに含まれるプッシュブロックは、第二レールの第二通路向きである。
【００１０】
前記シフトユニットは、ベース体、第一弾性部品、プッシュ部品、可動体、及び第二弾性部品を含む。その内、第一レールの側壁に取り付けるベース体は、縦方向区、収納室、及びガイド通路を含む。その内、収納室はほぼ縦方向区に対して平行である。ガイド通路には縦方向ガイド溝と、縦方向ガイド溝に連結する横方向ガイド溝を含む。第一弾性部品の一端はベース体を押圧する。プッシュ部品は、第一弾性部品の別の一端を押圧し、尚且つ第二レールに対応する。ベース体に可動状態で取り付ける可動体は、第一脚、第二脚、ガイド経路、及び嵌合制御部を含む。その内、第一脚及び第二脚は、それぞれベース体のガイド通路及び収納室に対応する。ガイド経路は、第一縦方向ガイド経路、第二縦方向ガイド経路、及び中間通路を含む。その内、第一縦方向ガイド経路と第二縦方向ガイド経路は、嵌合制御部に隣接し、しかもそれぞれが嵌合制御部の両側に位置する。中間通路は、第一縦方向ガイド経路と第二縦方向ガイド経路に繋がり、尚且つ嵌合制御部に相対する。第二弾性部品は、ベース体の収納室内に取り付け、可動体の第二脚と押圧し合う。
【００１１】
前記連動ユニットは、連動部品、連接部、及び第一スプリングを含む。その内、連動部品は、第一凸部及び第二凸部を含む。第一凸部は、第一レールのガイド溝から延伸し、第二凸部は、第二レールの突出体に対応する。また、連接部は、可動体と連動部品との間に連結する。第一スプリングは、連動部品と連接部との間に連結する。
【００１２】
前記同時ユニットは、同時部品及び第二スプリングを含む。その内、第二レールに枢着する同時部品は、第一押圧部及び第二押圧部を含む。その内、第一押圧部は、第一レールの側壁方向に延伸し、放出部に対応する。第二押圧部は、第三レールのプッシュブロックに対応する。第二スプリングは、同時部品と第二レールとの間に連結する。
【００１３】
前記掛止支持ユニットは、掛止部品及び押圧連結部品を含む。その内、第三レールに枢着する掛止部品は、掛止部を含む。押圧連結部品は、第三レールに固着し、可動体に対応する。
【００１４】
第一レールに相対する第三レールが閉じた位置にある時、第二レールは、第一レール内に収納される。掛止部品の掛止部と可動体の嵌合制御部とは嵌着し合い、尚且つプッシュ部品は、第二レールによって押圧され、第一弾性部品を圧縮するため、第一弾性部品はプッシュ部品の押圧に反して第一方向の弾力作用を生じさせる。また、可動体の第二脚は第二弾性部品と押圧し合う。並びに、第三レールのプッシュブロックは、同時部品の第二押圧部に対応する。
【００１５】
第三レールにプッシュ力が加えられた時、掛止部品の掛止部は可動体の嵌合制御部から離脱し、しかも掛止部品の掛止部は可動体の第一縦方向ガイド経路にシフトする。このプッシュ力がなくなった後、第一弾性部品の第一方向の弾力によって解き放たれる。プッシュ部品によって第二レールは押し出され、第一レールに相対してシフトする。並びに、さらに続けて第三レールを引き出した時、第三レールのプッシュブロックが同時部品の第二押圧部を押圧することにより、第二レールは第三レールに伴い引き出され、第二レールの突出体が連動部品の第二凸部を押圧し、連動部品は、第一凸部によって第一レールのガイド溝の縦方向溝に沿ってシフトする。並びに、可動体は、連動部品のシフトと連動部品による従動に従って、ベース体のガイド通路の縦方向ガイド溝に沿って、連動される連動部品の第一凸部がガイド溝の横方向溝内に導かれるまでシフトし、その時、第二レールの突出体は回転して連動部品の第二凸部の上部エッジを圧する。可動体もまた、導かれてシフトした後、その第一脚がガイド通路の横方向ガイド溝位置に停止することにより、第二弾性部品は可動体の第二脚によって圧縮され、第二方向に弾き出す位置エネルギーを蓄える。並びに、同時部品の第一押圧部が第一レールの放出部を押圧した時、同時部品は一定角度に傾いてシフトするため、同時部品の第二押圧部は第三レールのプッシュブロックを離脱する。その内、第一レールに相対する第三レールを押し入れて閉じる時、同時部品の第一押圧部は第一レールの放出部から離脱し、同時部品の第二押圧部がプッシュブロックに対応する状態に回復する。押圧連結部品が可動体を上方に押圧する時、可動体は、ガイド通路の横方向ガイド溝から離脱し、尚且つ掛止部品の掛止部は、可動体の嵌合制御部と押圧し合い、第二弾性部品の弾力を通して、第一レールに相対する第三レールは引っ張られて閉じ、連動部品の第一凸部は、ガイド溝の横方向溝から離脱する。
【００１６】
好ましくは、更に、収納室に対応する螺着体と調整部品を含む。その内、調整部品には螺着棒、及び螺着棒の一端から延伸する頭部を含む。該調整部品の螺着棒は、螺着体を貫通させて螺着し、収納室に挿入される螺着棒は、可動体の第二脚を押圧する。
【００１７】
好ましくは、連接部は、連結し合う第一連接部品と第二連接部品を含み、第一連接部品は、固定部品を用いて可動体に固着する。第二連接部品と連動部品を枢着する。
【００１８】
好ましくは、連動部品には第一鉤部を設置し、連接部の第二連接部品には第二鉤部を設置し、第一鉤部と第二鉤部を用いて第一スプリングの両端を引き掛ける。
【００１９】
好ましくは、連動ユニットにさらに含む支持体は、第一レールの側壁に固着し、支持体に形成した支持通路内に連接部の第二連接部品を可動状態で貫設し、支持体にはさらに少なくとも一つのストッパーを設け、第二連接部品を制限して支持体の支持通路内に保持させるのに用いる。
【００２０】
好ましくは、第二レールの側壁に窓部を設け、窓部に隣接する同時部品は、軸部品を用いて第二レールに枢着し、尚且つ同時部品の第一押圧部は、窓部から突出し、第一レールの側壁方向に延伸する。
【００２１】
好ましくは、同時部品の第一押圧部に備えるガイド斜面は、第一レールの放出部に対応し、尚且つ同時部品には第三鉤部を設置し、第二レールには第四鉤部を設置し、第三鉤部と第四鉤部のそれぞれで第二スプリングの両端を引き掛ける。
【００２２】
好ましくは、第三レールには穴を備え、掛止支持ユニットは、穴に対応する蓋体を含み、第三レールに固着し、尚且つ該蓋体には、枢着部品を用いて掛止部品を枢着し、並びに、蓋体に備えた弧形溝は、掛止部品の掛止部に対応させ、掛止部品の掛止部を貫通して動きをそれ以内に制限する。
【００２３】
好ましくは、第一レール上に設置する緩衝部品を含み、該緩衝部品は自動的に伸びるピストン棒を含み、ピストン棒の伸びる長さが第二レールに対応して緩衝ストロークを形成する。
【００２４】
本考案のもう一つの観点に基づく自動開閉式スライドレールキットは、第一レール、第二レール、第三レール、シフトユニット、連動ユニット、同時ユニット、掛止支持ユニットを含む。
【００２５】
前記第一レールには、上壁、下壁、側壁、放出部、及びガイド溝を含む。その内、側壁は、上壁と下壁間に延伸して連結し、上壁、下壁、及び側壁は共同で第一通路を形成する。放出部は、側壁に設置し、尚且つ第一通路内に位置する。ガイド溝は側壁に設置し、縦方向溝及び横方向溝を含む。その内、横方向溝は、縦方向溝の末端に位置し、縦方向溝に連結する。
【００２６】
前記第二レールは、第一レールにスライド可能状態で連結し、第二レールは、上壁、下壁、側壁、及び突出体を含む。その内、側壁は、上壁と下壁間に延伸して連結し、上壁、下壁、及び側壁とが共同で第二通路を形成する。突出体は、側壁に設置し、第一レールの第一通路向きである。
【００２７】
前記第三レールは、第二レールに可動状態で連結し、第三レールに含まれるプッシュブロックは、第二レールの第二通路向きである。
【００２８】
前記シフトユニットは、ベース体、固定体、第一弾性部品、プッシュ部品、可動体、及び第二弾性部品を含む。その内、第一レールの側壁に取り付けるベース体は、縦方向区、収納室、及びガイド通路を含む。その内、収納室はほぼ縦方向区に対して平行である。ガイド通路には縦方向ガイド溝と横方向ガイド溝を含み、その内、横方向ガイド溝は、縦方向ガイド溝の末端に位置し、尚且つ縦方向ガイド溝に連結する。ベース体に取り付ける固定体は、縦方向棒を含む。第一弾性部品は、固定体の縦方向棒に嵌設する。プッシュ部品は、ベース体の縦方向区に連結し、固定体の縦方向棒に可動状態で嵌設し、第一弾性部品と押圧し合う。ベース体に可動状態で取り付ける可動体は、第一脚、第二脚、ガイド経路、及び嵌合制御部を含む。その内、第一脚及び第二脚はそれぞれ、ベース体のガイド通路及び収納室に対応する。ガイド経路は、第一縦方向ガイド経路、第二縦方向ガイド経路、及び中間通路を含む。その内、第一縦方向ガイド経路と第二縦方向ガイド経路は、嵌合制御部に隣接し、しかもそれぞれが嵌合制御部の両側に位置する。中間通路は、第一縦方向ガイド経路と第二縦方向ガイド経路に繋がり、尚且つ嵌合制御部に相対する。第二弾性部品は、ベース体の収納室内に取り付け、可動体の第二脚と押圧し合う。
【００２９】
前記連動ユニットは、連動部品、連接部、及び第一スプリングを含む。その内、連動部品は、第一凸部及び第二凸部を含む。第一凸部は、第一レールのガイド溝から延伸し、第二凸部は、第二レールの突出体に縦方向で対応する。また、連接部は、可動体と連動部品間に連結する。第一スプリングは、連動部品と連接部の間に連結する。
【００３０】
前記同時ユニットは、同時部品及び第二スプリングを含む。その内、第二レールに枢着する同時部品は、第一押圧部及び第二押圧部を含む。その内、第一押圧部は、第一レールの側壁方向に延伸し、放出部に対応し、第二押圧部は、第三レールのプッシュブロックに対応する。第二スプリングは、同時部品と第二レールの間に連結する。
【００３１】
前記掛止支持ユニットは、掛止部品及び押圧連結部品を含む。その内、掛止部品は、第三レールに枢着し、掛止部品には掛止部を含む。また、押圧連結部品は、第三レールに固着し、可動体に対応させる。
【考案の効果】
【００３２】
本考案の自動開閉式スライドレールキットは、自己開閉機構を組み合わせることにより、スライドレール部品が予定された外力を受けた時に、適時に自動開閉し、定位するという効果を有する。
【図面の簡単な説明】
【００３３】
【図１】本考案の実施例の構造図である。
【図２】本考案の実施例の分解図である。
【図３】本考案の実施例の同時ユニットの分解図である。
【図４】本考案の実施例の掛止支持ユニットの分解図である。
【図５】本考案の実施例のシフトユニットの構造図である。
【図６】図５の一部構成要素の分解図である。
【図７】本考案の実施例の連動ユニットの構造図である。
【図８】本考案の実施例の完全に閉じた状態を示す図である。
【図９】本考案の実施例の第三レールが押された時の動作を示す図である。
【図１０】本考案の実施例の第三レールが押された後に再び力が緩められた時の動作を示す図である。
【図１１】本考案の実施例の第三レールが押された後に再び力が緩められた時の動作を示す図である。
【図１２】本考案の実施例の第三レールが押されて開かれた後に再び第三レールが手動で引き出され、それに第二レールが連動する動作を示す図である。
【図１３】本考案の実施例の第三レールが押されて開かれた後に再び第三レールが手動で引き出され、それに第二レールが連動し、且つ連動ユニットと同時ユニットが駆動する動作を示す図である。
【図１４】本考案の実施例の第三レールが押されて開かれた後に再び第三レールが手動で引き出され、それに第二レールが連動し、且つシフトユニットの可動体が駆動する動作を示す図である。
【図１５】本考案の実施例の第三レールと第二レールが押し入れられて第一レールに収められた時の連動ユニットと同時ユニットの状態を示す図である。
【図１６】本考案の実施例の第三レールと第二レールが押し入れられて第一レールに収められた時のシフトユニットの状態を示す図である。
【図１７】本考案の実施例の第三レールと第二レールが押し入れられて第一レールに収められた時に、シフトユニットの可動体が押圧連結部品に押圧されて元の位置に戻る動作を示す図である。
【図１８】本考案の実施例の第三レールと第二レールが押し入れられて第一レールに収められた時に、連動ユニットの連動部品が元の位置に戻る動作を示す図である。
【図１９】本考案の実施例に含まれる緩衝部品の構造図である。
【図２０】本考案の実施例の緩衝部品が第二レールに作用を及ぼす状態を示す図である。
【考案を実施するための形態】
【００３４】
図１と図２に示すとおり、本考案の実施例は、第一レール１０、第一ボール部１２、第二レール１４、第二ボール部１６、第三レール１８、及び開閉装置２０を含み、且つ第一ボール部１２は第一レール１０に設置し第二レール１４をスライド可能状態で連結する。第二ボール部１６は第二レール１４に設置し、第三レール１８をスライド可能状態で連結する。
【００３５】
その内、第一レール１０には、上壁２２ａ、下壁２２ｂ、側壁２４、放出部２６、及びガイド溝２８を含む。その内、側壁２４は、上壁２２ａと下壁２２ｂ間に延伸して連結し、上壁２２ａ、下壁２２ｂ、及び側壁２４は共同で第一通路３０を形成する。放出部２６は、側壁２４に設置し、尚且つ第一通路３０内に位置する。ガイド溝２８は側壁２４に設置し、縦方向溝３２及び横方向溝３４を含む。その内、横方向溝３４は、縦方向溝３２の末端に位置し、縦方向溝３２に連結する。
【００３６】
第一ボール部１２の働きにより第一レール１０の第一通路３０にスライド可能状態で連結される第二レール１４は、第一レール１０に相対して簡単にスライドシフトする。本実施例において、第二レール１４は、上壁３６ａ、下壁３６ｂ、側壁３８、突出体４０、及び窓部４２を含む（図３参照）。その内、側壁３８は、上壁３６ａと下壁３６ｂ間に延伸して連結し、上壁３６ａ、下壁３６ｂ、及び側壁３８とが共同で第二通路４４を形成する。突出体４０は、側壁３８に設置し、第一レール１０の第一通路３０向きであり、窓部４２は、側壁３８の一端に設置する。
【００３７】
第二ボール部１６の働きにより第二レール１４の第二通路４４にスライド可能状態で連結される第三レール１８は、第二レール１４に相対して簡単にスライドシフトする。本実施例において、第三レール１８は、プッシュブロック４６及び穴４８を含む（図４参照）。その内、プッシュブロック４６は、第二レール１４の第二通路４４向きである。
【００３８】
開閉装置２０は、シフトユニット５０、連動ユニット５２、同時ユニット５４、及び掛止支持ユニット５６を含む。
【００３９】
前記シフトユニット５０は、図５及び図６に示すとおり、ベース体５８、固定体６０、第一弾性部品６２、プッシュ部品６４、可動体６６、及び第二弾性部品６８を含む。
【００４０】
その内、第一レール１０の側壁２４の一端に取り付けるベース体５８は、縦方向区７０、収納室７２、及びガイド通路７４を含む。その内、縦方向区７０の末端には制御部７６を設置し、収納室７２はほぼ縦方向区７０に対して平行である。ガイド通路７４には縦方向ガイド溝７８及び横方向ガイド溝８０を含み、その内、横方向ガイド溝８０は、縦方向ガイド溝７８の末端に位置し、尚且つ縦方向ガイド溝７８に連結する。
【００４１】
固定体６０は、ベース体５８に取り付け、固定体６０は縦方向棒８２を含む。
【００４２】
第一弾性部品６２は、固定体６０の縦方向棒８２に嵌設し、第一弾性部品６２の一端は固定体６０を押圧する。
【００４３】
プッシュ部品６４は、ベース体５８の縦方向区７０にスライド可能状態で連結し、固定体６０の縦方向棒８２に可動状態で嵌設し、第一弾性部品６２と押圧し合う。プッシュ部品６４がシフトし第一弾性部品６２を圧縮する時、第一弾性部品６２は、圧縮に反する第一方向の弾力作用をプッシュ部品６４に対して生じさせる。
【００４４】
ベース体５８に可動状態で取り付ける可動体６６は、第一脚８４ａ、第二脚８４ｂ、ガイド経路８６、及び嵌合制御部８８を含む。その内、第一脚８４ａ及び第二脚８４ｂは、それぞれベース体５８のガイド通路７４及び収納室７２に対応する。さらに、第一脚８４ａは、初期状態はガイド通路７４の縦方向ガイド溝７８を押圧しており、第二脚８４ｂは、ベース体５８の収納室７２に延伸する。ガイド経路８６は、第一縦方向ガイド経路９０、第二縦方向ガイド経路９２、及び中間通路９４を含む。その内、第一縦方向ガイド経路９０と第二縦方向ガイド経路９２は、嵌合制御部８８に隣接し、しかもそれぞれが嵌合制御部８８の両側に位置する。中間通路９４は、第一縦方向ガイド経路９０と第二縦方向ガイド経路９２に繋がり、尚且つ嵌合制御部８８に相対する。好ましくは、可動体６６には作動端９６を備え、尚且つ作動端９６は、嵌合制御部８８に隣接する。
【００４５】
第二弾性部品６８は、ベース体５８の収納室７２内に取り付ける。可動体６６の第二脚８４ｂがシフトし第二弾性部品６８を圧縮する時、第二弾性部品６８は、圧縮に反する第二方向の弾力作用を可動体６６の第二脚８４ｂに対して生じさせる。その内、第二方向の弾力と前記第一弾性部品の第一方向の弾力とは相反方向である。
【００４６】
好ましい実施例には、更に、収納室７２に対応する螺着体９８と調整部品１００を含む。調整部品１００には螺着棒１０２、及び螺着棒１０２の一端から延伸する頭部１０４を含む。その内、調整部品１００の螺着棒１０２は、螺着体９８を貫通させて螺着し、収納室７２に挿入される螺着棒１０２は、可動体６６の第二脚８４ｂを押圧する。使用者が調整部品１００の頭部１０４を回転させると、調整部品１００の螺着棒１０２はベース体５８の収納室７２に相対して進退移動し、これにより、ベース体５８の収納室７２に停止する可動体６６の第二脚８４ｂの初期位置を微調整する。
【００４７】
連動ユニット５２は、図７に示すとおり、連動部品１０６、連接部１０８、及び第一スプリング１１０を含む。その内、連動部品１０６は、第一凸部１１２及び第二凸部１１４を含む。第一凸部１１２は、第一レール１０のガイド溝２８から延伸し、第二凸部１１４は、第二レール１４の突出体４０に縦方向で対応する。また、連接部１０８は、可動体６６と連動部品１０６間に連結する。好ましい実施例において、連接部１０８は、連結し合う第一連接部品１１６と第二連接部品１１８を含む。その内、第一連接部品１１６は、固定部品１２０を用いて可動体６６に固着し（図６参照）、第二連接部品１１８と連動部品１０６を枢着する。第一スプリング１１０は、連動部品１０６と連接部１０８の第二連接部品１１８間に連結する。好ましい実施例において、連動部品１０６には第一鉤部１２２を設置し、連接部１０８の第二連接部品１１８には第二鉤部１２４を設置し、第一鉤部１２２、第二鉤部１２４を用いて第一スプリング１１０の両端を引き掛ける。
【００４８】
好ましい実施例において、連動ユニット５２にさらに含む支持体１２６は、第一レール１０の側壁２４に固着し、支持体１２６に形成した支持通路１２８内に連接部１０８の第二連接部品１１８を可動状態で貫設し、支持体１２６にはさらに少なくとも一つのストッパー１３０を設け、第二連接部品１１８を制限して支持体１２６の支持通路１２８内に保持させるのに用いる。
【００４９】
同時ユニット５４は、図３に示すとおり、同時部品１３２及び第二スプリング１３４を含む。その内、軸部品１３６を用いて第二レール１４の側壁３８に枢着する同時部品１３２は、第一押圧部１３８及び第二押圧部１４０を含む。その内、第一押圧部１３８は、第二レール１４の窓部４２から突出し、第一レール１０の側壁２４方向に延伸する。並びに、第一押圧部１３８に備えるガイド斜面１４２が第一レール１０の放出部２６に対応し、第二押圧部１４０は、第三レール１８のプッシュブロック４６に対応する。第二スプリング１３４は、同時部品１３２と第二レール１４の間に連結する。好ましい実施例において、同時部品１３２には第三鉤部１４４を設置し、第二レール１４には第四鉤部１４６を設置し、第三鉤部１４４と第四鉤部１４６のそれぞれで第二スプリング１３４の両端を引き掛ける。
【００５０】
掛止支持ユニット５６は、図４に示すとおり、掛止部品１４８、蓋体１５０、及び押圧連結部品１５２を含む。その内、掛止部品１４８は、掛止部１５４を含み、枢着部品１５６を蓋体１５０に取り付け、さらに蓋体１５０を第三レール１８に固着し、第三レール１８の穴４８に対応させる。蓋体１５０に備えた弧形溝１５８は、掛止部品１４８の掛止部１５４に対応させ、掛止部品１４８の掛止部１５４を貫通して動きを制限する。押圧連結部品１５２は、第三レール１８に固着し、可動体６６の作動端９６に対応させる。
【００５１】
図８に示すとおり、第一レール１０に相対する第三レール１８が閉じた位置にある時、第二レール１４は、第一レール１０内に収納される。この閉じた状態において、第三レール１８上に位置する掛止部品１４８の掛止部１５４と第一レール１０上に位置する可動体６６の嵌合制御部８８とは嵌着し合い、尚且つ第二弾性部品６８は、可動体６６の第二脚８４ｂを押圧する。並びに、第一レール１０上に位置するプッシュ部品６４は、第二レール１４によって押圧され、第一弾性部品６２を圧縮するため、第一弾性部品６２はプッシュ部品６４に前記第一方向Ｆ１の弾力作用を生じさせる。それと同時に、閉じた状態において、第三レール１８のプッシュブロック４６もまた、第二レール１４上の同時部品１３２の第二押圧部１４０に対応する。さらに説明を加えると、第二レール１４に相対する第一弾性部品６２は弾き出す位置エネルギーを蓄える。第二弾性部品６８の弾力は可動体６６に作用し、これにより、可動体６６は、第二脚８４ｂで調整部品１００の螺着棒１０２を緊密に押圧して定位する。
【００５２】
図９に示すとおり、使用者は、プッシュ力Ｆ（図中の矢印方向）で第三レール１８に力を加えた時、掛止部品１４８の掛止部１５４は可動体６６の嵌合制御部８８から離脱し、しかも掛止部品１４８の掛止部１５４は可動体６６の第一縦方向ガイド経路９０にシフトする。この時、プッシュ力がなくなり、その後、第一弾性部品６２の第一方向Ｆ１の弾力によって放出される。図１０及び図１１に示すとおり、プッシュ部品６４が第二レール１４上に作用を及ぼす故に、第二レール１４は第三レール１８を連動し、第一レール１０に相対して一緒に押し出されて開かれる。
【００５３】
前述したような図１１に示した状態に基づき、さらに続けて手動方式で第一レール１０に相対する第三レール１８を引き出す。その内、図１２及び図１３に示すとおり、第三レール１８のプッシュブロック４６が第二レール１４上の同時部品１３２の第二押圧部１４０を押圧することにより、第三レール１８が引っ張られるとともに、第二レール１４を同時にシフトさせる。この時、第一レール１０に相対する第二レール１４が第三レール１８に引っ張り出されるのに従い、第二レール１４の突出体４０が第一レール１０上の連動部品１０６に位置する第二凸部１１４を押圧し、第二レール１４の持続的シフトに伴い、連動部品１０６は、第一凸部１１２によって第一レール１０のガイド溝２８の縦方向溝３２に沿ってシフトする。それと同時に、図１３及び図１４に示すとおり、連接部１０８を可動体６６と連動部品１０６との間に連結するため、可動体６６は連動部品１０６のシフトに従ってベース体５８のガイド通路７４の縦方向ガイド溝７８に沿って、連動される連動部品１０６の第一凸部１１２がガイド溝２８の横方向溝３４内に導かれるまでシフトし、その時、第二レール１４の突出体４０は回転して連動部品１０６の第二凸部１１４の上部エッジを圧し、これにより、連動部品１０６の第一凸部１１２はガイド溝２８の横方向溝３４内に停止される。可動体６６もまた、導かれてシフトした後、その第一脚８４ａがガイド通路７４の横方向ガイド溝８０位置に停止し、尚且つ第二弾性部品６８は可動体６６の第二脚８４ｂによって圧縮され、前述した第二方向Ｆ２に弾き出す位置エネルギーを蓄える。
【００５４】
また、図１３に示すとおり、第二レール１４上の同時部品１３２の第一押圧部１３８が第一レール１０の放出部２６に達した時、第一押圧部１３８は、ガイド斜面１４２が放出部２６上に便利に載って押圧するため、一時的に密着した状態で押圧し定位する。尚且つ、同時部品１３２を一定角度に傾かせてシフトするため、同時部品１３２の第二押圧部１４０は第三レール１８のプッシュブロック４６を離脱する。前記動作に基づき、第三レール１８と第二レール１４は即刻、同時連動関係を解除するため、第一レール１０に相対する第三レール１８は完全に引っ張り出され、並びに、第二レール１４によって引っ張り出す距離が延長される。
【００５５】
図１５に示すとおり、第一レール１０に相対する第三レール１８を押し入れて閉じる時、第三レール１８はまず、第二レール１４を収め入れ、第三レール１８と第二レール１４は第一レール１０に相対してシフトする。その内、第三レール１８のプッシュブロック４６は、同時部品１３２の第二押圧部１４０に対応する状態に回復するまで移動し、尚且つ同時部品１３２の第一押圧部１３８もまた、第一レール１０の放出部２６から離脱する。また、第二レール１４がシフトした後、第二レール１４の突出体４０は、連動部品１０６の第二凸部１１４を押圧することはない。
【００５６】
図１６と図１７に示すとおり、第一レール１０に相対する第三レール１８と第二レール１４を押圧連結部品１５２が可動体６６に達する位置まで閉じた時、押圧連結部品１５２は、可動体６６の作動端９６を押圧するため、可動体６６の第一脚８４ａは、即刻、ガイド通路７４の横方向ガイド溝８０から離脱し、尚且つ掛止部品１４８の掛止部１５４もまた、可動体６６の第二縦方向ガイド経路９２箇所までシフトし、嵌合制御部８８に対応する。これにより、掛止部１５４と嵌合制御部８８は、押圧し合う形態となり、その後、第二弾性部品６８の第二方向Ｆ２の弾力を通して可動体６６に力を加え、可動体６６の嵌合制御部８８は、掛止部品１４８の掛止部１５４を密接に押圧し、第一レール１０に相対する第三レール１８は引っ張られて閉じ、最終的に図８の状態まで閉じる。
【００５７】
また、前記図１７に示した閉じた状態において、連接部１０８は可動体６６と連動部品１０６を連結するため、可動体６６もまた連動部品１０６を従動してシフトさせる。図１８に示すとおり、連動部品１０６の第一凸部１１２は、ガイド溝２８の横方向溝３４から離れ、ガイド溝２８の縦方向溝３２に戻る。その内、第一スプリング１１０の弾力が補助作用力を提供するため、連動部品１０６の動作はさらにスムーズになる。
【００５８】
図１９と図２０に示すとおり、さらに緩衝部品１６０を含み、第一レール１０上に設置する。好ましい実施例において、緩衝部品１６０はシフトユニット５０のベース体５８の一方側に固着し、該緩衝部品１６０には自動的に伸びるピストン棒１６２を備え、緩衝部品１６０のピストン棒１６２は第二レール１４に相対する。ピストン棒１６２の伸びる長さが緩衝ストロークとなり、第二レール１４が第三レール１８に従い第一レール１０に相対して閉じる時、緩衝部品１６０のピストン棒１６２と第二レール１４が押圧し合い、スライドレールキットを閉じるのがさらに平坦に安定したものとなる。
【符号の説明】
【００５９】
１０：第一レール
１２：第一ボール部
１４：第二レール
１６：第二ボール部
１８：第三レール
２０：開閉装置
２２ａ：上壁
２２ｂ：下壁
２４：側壁
２６：放出部
２８：ガイド溝
３０：第一通路
３２：縦方向溝
３４：横方向溝
３６ａ：上壁
３６ｂ：下壁
３８：側壁
４０：突出体
４２：窓部
４４：第二通路
４６：プッシュブロック
４８：穴
５０：シフトユニット
５２：連動ユニット
５４：同時ユニット
５６：掛止支持ユニット
５８：ベース体
６０：固定体
６２：第一弾性部品
６４：プッシュ部品
６６：可動体
６８：第二弾性部品
７０：縦方向区
７２：収納室
７４：ガイド通路
７６：制御部
７８：縦方向ガイド溝
８０：横方向ガイド溝
８２：縦方向棒
８４ａ：第一脚
８４ｂ：第二脚
８６：ガイド経路
８８：嵌合制御部
９０：第一縦方向ガイド経路
９２：第二縦方向ガイド経路
９４：中間通路
９６：作動端
９８：螺着体
１００：調整部品
１０２：螺着棒
１０４：頭部
１０６：連動部品  
１０８：連接部
１１０：第一スプリング
１１２：第一凸部
１１４：第二凸部
１１６：第一連接部品
１１８：第二連接部品
１２０：固定部品
１２２：第一鉤部
１２４：第二鉤部
１２６：支持体
１２８：支持通路
１３０：ストッパー
１３２：同時部品
１３４：第二スプリング
１３６：軸部品
１３８：第一押圧部
１４０：第二押圧部
１４２：ガイド斜面
１４４：第三鉤部
１４６：第四鉤部
１４８：掛止部品
１５０：蓋体
１５２：押圧連結部品
１５４：掛止部
１５６：枢着部品
１５８：弧形溝
１６０：緩衝部品
１６２：ピストン棒
【図１】
0003179942.tif 000003
【図２】
0003179942.tif 000004
【図３】
0003179942.tif 000005
【図４】
0003179942.tif 000006
【図５】
0003179942.tif 000007
【図６】
0003179942.tif 000008
【図７】
0003179942.tif 000009
【図８】
0003179942.tif 000010
【図９】
0003179942.tif 000011
【図１０】
0003179942.tif 000012
【図１１】
0003179942.tif 000013
【図１２】
0003179942.tif 000014
【図１３】
0003179942.tif 000015
【図１４】
0003179942.tif 000016
【図１５】
0003179942.tif 000017
【図１６】
0003179942.tif 000018
【図１７】
0003179942.tif 000019
【図１８】
0003179942.tif 000020
【図１９】
0003179942.tif 000021
【図２０】
0003179942.tif 000022